(57)【特許請求の範囲】
【請求項１】
上枠および下枠を備える建具枠と、前記上枠および下枠に沿って移動する障子とを備える建具であって、
前記障子は、
金属製の板材で形成された左右の縦框と、
前記縦框間に取り付けられた面材と、
前記縦框の下端部に取り付けられた移動部材とを備え、
前記縦框は、
金属製の板材からなり前記面材を室外側から保持する室外側保持板と、
金属製の板材からなり前記面材を室内側から保持する室内側保持板とを備えて構成され、
前記室外側保持板および室内側保持板は、
前記縦框の見込み方向に延長された見込み面部と、
前記見込み面部から前記縦框の見付け方向に延長された見付け面部とを備え、
前記室外側保持板および室内側保持板の見込み面部は、前記見付け面部から室外側および室内側のうちのいずれか一方に向かって同方向に延長され、
前記室外側保持板および室内側保持板は、前記見込み面部同士を連結して一体化され、
前記室外側保持板および室内側保持板の見付け面部で前記面材を挟持して保持し、
前記上枠には下面に開口する溝が形成され、
前記下枠には上面に開口する溝が形成され、
前記障子は、前記縦框および前記面材の上端部が前記上枠の溝内に挿入され、前記縦框および前記面材の下端部が前記下枠の溝内に挿入され、
前記移動部材が前記下枠の溝内を移動することで、前記障子は前記建具枠の上枠および下枠に沿ってスライド移動する
ことを特徴とする建具。
【請求項２】
前記下枠は、前記溝を区画形成する一対の立上り部を備え、
前記各立上り部から溝内部に突出する突出片が形成され、前記突出片間の見込み方向の幅寸法は前記溝の見込み方向の幅寸法よりも小さくされ、
前記移動部材は、前記溝内に配置されて前記突出片間の幅寸法よりも大きく、前記溝の幅寸法よりも小さい幅寸法の係止部を備えている
ことを特徴とする請求項１に記載の建具。
【請求項３】
前記移動部材は、
前記室外側保持板の見付け面部および室外側保持板の見付け面部を挟持する框材保持部を備える
ことを特徴とする請求項１または請求項２に記載の建具。
【発明の詳細な説明】
【技術分野】
【０００１】
本発明は、上下枠を有する建具枠と、この上下枠で案内される障子とを有する建具に関する。
【背景技術】
【０００２】
一般的な引違い形式のサッシ窓（引違いサッシ）は、窓枠と、障子とで構成される（例えば、特許文献１参照）。障子は、ガラス等の面材の四辺にそれぞれ金属製の框（上框、下框、左右の縦框）を嵌め込んで構成される。窓枠の上下枠には、障子を案内するレールが形成される。そして、障子の上框を上枠のレールで案内し、障子の下框の戸車を下枠のレールで案内することで、障子を開閉自在に構成している。
【先行技術文献】
【特許文献】
【０００３】
【特許文献１】特開２００４−３５３４３４公報
【発明の概要】
【発明が解決しようとする課題】
【０００４】
しかしながら、一般的な引違いサッシでは、ガラスの周囲に嵌め込まれる上下框および縦框が存在するため、障子の見付け面の面積に比べて、ガラスの見付け面の面積が小さくなる。このため、従来の障子では、採光性や意匠性を向上することが難しいという不都合がある。
【０００５】
本発明の目的は、採光性や意匠性を向上できる建具を提供することにある。
【課題を解決するための手段】
【０００６】
本発明の建具は、上枠および下枠を備える建具枠と、前記上枠および下枠に沿って移動する障子とを備える建具であって、前記障子は、金属製の板材で形成された左右の縦框と、前記縦框間に取り付けられた面材と、前記縦框の下端部に取り付けられた移動部材とを備え、前記縦框は、金属製の板材からなり前記面材を室外側から保持する室外側保持板と、金属製の板材からなり前記面材を室内側から保持する室内側保持板とを備えて構成され、前記室外側保持板および室内側保持板は、前記縦框の見込み方向に延長された見込み面部と、前記見込み面部から前記縦框の見付け方向に延長された見付け面部とを備え、前記室外側保持板および室内側保持板の見込み面部は、前記見付け面部から室外側および室内側のうちのいずれか一方に向かって同方向に延長され、前記室外側保持板および室内側保持板は、前記見込み面部同士を連結して一体化され、前記室外側保持板および室内側保持板の見付け面部で前記面材を挟持して保持し、前記上枠には下面に開口する溝が形成され、前記下枠には上面に開口する溝が形成され、前記障子は、前記縦框および前記面材の上端部が前記上枠の溝内に挿入され、前記縦框および前記面材の下端部が前記下枠の溝内に挿入され、前記移動部材が前記下枠の溝内を移動することで、前記障子は前記建具枠の上枠および下枠に沿ってスライド移動することを特徴とする。
【０００７】
以上の本発明によれば、障子は、面材および縦框で構成され、上下框を無くしたので、上下框が存在する場合に比べて、面材の見付け面の面積を大きくすることができる。このため、面材の意匠性を向上でき、面材としてガラス等の透光性を有する部材を用いた場合には、採光面が大きくなって採光性を向上できる。
また、障子に上下框を設けなくても、上枠および下枠に溝を形成し、縦框および面材の上端部および下端部を各溝に呑み込ませているので、障子を上下枠の溝に沿って面内方向（見付け方向）にスライド移動できる。
さらに、前記室外側保持板および室内側保持板は、金属製の板材を折り曲げて形成できる。そして、各見込み面部をリベット等で連結して一体化しているので、縦框として必要な剛性を確保でき、別途、骨材を用いる必要がないため、部材点数を少なくできてコストを抑えることができる。
また、１枚の板材で前記面材を保持する溝部を構成した場合に、曲げ加工が複雑になる。また、前記溝部内に接着剤を注入して面材を固定する場合、前記接着剤をムラ無く注入することが難しい。これに対し、本発明では、室外側保持板および室内側保持板の２つの部材を備えているので、曲げ加工も例えば各保持板をＬ字状やコ字状に折曲するだけでもよく、簡単に加工できる。また、室外側保持板および室内側保持板を一体化する前に、見付け面部に接着剤を塗布することもでき、接着剤を均一に塗布して面材の接着を確実に行うことができる。
なお、前記移動部材は、戸車でもよいし、摺動部材でもよい。移動部材として戸車を用いる場合は、前記下枠の溝内にレールを形成し、このレールで縦框の下端部に取り付けた戸車を案内すればよい。移動部材として摺動部材を用いる場合には、前記下枠の溝内に摺動面を形成し、この摺動面上に縦框の下端部に取り付けた摺動部材を接触させて移動すればよい。
【０００８】
この際、前記下枠は、前記溝を区画形成する一対の立上り部を備え、前記各立上り部から溝内部に突出する突出片が形成され、前記突出片間の見込み方向の幅寸法は前記溝の見込み方向の幅寸法よりも小さくされ、前記移動部材は、前記溝内に配置されて前記突出片間の幅寸法よりも大きく、前記溝の幅寸法よりも小さい幅寸法の係止部を備えていることが好ましい。
【０００９】
この発明によれば、前記下枠の溝を区画形成する一対の立上り部から突出片が突出され、突出片間の見込み方向の幅寸法が溝内部よりも小さくなる。また、移動部材は、この突出片間の幅寸法よりも大きな幅寸法の係止部を備えている。
このため、障子の開閉時に障子の転びで一方の縦框側が上方に移動したり、暴風などで障子が浮き上がった場合に、前記移動部材の係止部が前記下枠の突出片に当たって係止されるので、障子が下枠から外れて脱落することを防止できる。
さらに、この障子の外れ防止用の係止部は、縦框側に形成することもできるが、その場合は縦框の加工が複雑になる。これに対し、本発明では、縦框に取り付けられる別体の移動部材に係止部を形成しているので、縦框の構成を簡易にできて容易に加工できる。
【００１２】
本発明において、前記移動部材は、前記室外側保持板の見付け面部および室内側保持板の見付け面部を挟持する框材保持部を備えることが好ましい。
この発明によれば、室外側保持板、室内側保持板の見付け面部を框材保持部で挟持するので、面材を保持する各保持板の見付け面部が広がることを防止できる。また、移動部材の框材保持部が、各保持板の見付け面部に係合するため、移動部材が回転することも防止できる。
【図面の簡単な説明】
【００１３】
【図１】本発明の建具である防火戸を開いた状態を示す正面図である。
【図２】前記防火戸を閉めた状態を示す正面図である。
【図３】建物の窓および防火戸を示す縦断面図である。
【図４】建物の窓および防火戸を示す横断面図である。
【図５】前記防火戸の建具枠および先付けブラケットを示す斜視図である。
【図６】前記防火戸の下枠を示す縦断面図である。
【図７】前記下枠の要部を示す縦断面図である。
【図８】前記建具の要部を示す斜視図である。
【図９】前記外障子および内障子の召合せ部を示す横断面図である。
【図１０】前記外障子の突合せ部を示す横断面図である。
【図１１】変形例の防火戸を示す縦断面図である。
【発明を実施するための形態】
【００１４】
以下、本発明の実施形態を図面に基づいて説明する。
図１〜５に示すように、本実施形態に係る建具は、建物の外壁１の開口部に設置される窓２の屋外側に設けられる防火戸１０である。
窓２は、建物の開口部に固定される窓枠３と、窓枠３に支持される一対の障子４と、一対の障子４よりも屋外側にて窓枠３に支持される網戸５とを備えた一般的な引き違い窓である。なお、図１では網戸５を省略している。
【００１５】
防火戸１０は、前記窓２の室外側に配置される。この防火戸１０は、所定の耐火性能を確保するとともに、シャッターや雨戸と同様に強風時の飛来物によって窓２のガラスが破損することを防止できる。
この防火戸１０は、建物の外壁１に固定される建具枠２０と、この建具枠２０に支持される四枚建ての障子４０とを備える。障子４０は、防火戸１０の見付け方向中央部で互いに突き合わされる２枚の外障子（突合せ障子）４１と、外障子４１の内側に配置される２枚の内障子４２とで構成される。
【００１６】
建具枠２０は、図５にも示すように、スチール製の上枠２１、下枠２２および左右の縦枠２３を枠組みして構成されている。縦枠２３は、上枠２１、下枠２２の両端部から所定寸法内側の位置で上枠２１、下枠２２間に配置されている。すなわち、上枠２１および下枠２２の両端側は、縦枠２３よりも所定寸法突出している。この縦枠２３から上枠２１、下枠２２の両端部分までの見付け寸法は、後述するように、防火戸１０を開いた際に各障子４１，４２が納まる寸法とされている。
また、上枠２１、下枠２２と、縦枠２３は、図３，４に示すように、Ｌ形ブラケット２４にそれぞれボルト止めされて連結されている。すなわち、Ｌ形ブラケット２４の垂直面部に縦枠２３がねじ止めされている。このねじの先端には袋ナットが取り付けられている。また、Ｌ形ブラケット２４の水平面部は縦枠２３の上下両端に形成された切欠に配置され、この水平面部に裏板を用いて上枠２１、下枠２２がねじ止めされている。
【００１７】
［下枠の構成］
下枠２２は、図６にも示すように、下枠本体２２０と、レール部材３１，３２とを備えて構成されている。
下枠本体２２０は、主に２枚のスチール板２２１、２２２によって構成されている。スチール板２２１、２２２は、厚さ寸法がt0.8〜t1.5の鋼板であり、防火設備（防火戸）として求められる構造規定を満たすものである。
スチール板２２１は、外壁１に固定される固定部２２１Ａと、この固定部２２１Ａから水平方向に折曲されて下枠２２の下面を構成する平面部２２１Ｂと、この平面部２２１Ｂの室外側端縁から上側に折曲され、さらに上端側においてヘミング加工で折り返された外面部２２１Ｃとを備えている。
スチール板２２２は、外壁１に固定される固定部２２２Ａと、この固定部２２２Ａから水平方向に折曲されて下枠２２の上面を構成する平面部２２２Ｂと、この平面部２２２Ｂの室外側端縁から垂直方向下側に折曲された垂直壁部２２２Ｃと、垂直壁部２２２Ｃの下端から水平方向室外側に折曲された底面部２２２Ｄと、底面部２２２Ｄの室外側端縁から垂直方向下側に折曲された外面部２２２Ｅと、外面部２２２Ｅの下端から室内側に折曲された固定部２２２Ｆとを備えている。
【００１８】
そして、スチール板２２１，２２２は、外面部２２１Ｃに外面部２２２Ｅを当接させた状態で、平面部２２１Ｂの上に固定部２２２Ｆを載置し、平面部２２１Ｂおよび固定部２２２Ｆを貫通して裏板２２３にねじ込まれた固定ねじ２２４で固定されている。
また、下枠２２の長手方向端面には、図５に示すように、端部キャップ２５が取り付けられている。この端部キャップ２５には、図示しないが平面部２２２Ｂに固定される固定片と、平面部２２１Ｂに固定される固定片を備えている。従って、各スチール板２２１，２２２は、端部キャップ２５を介しても連結されている。
【００１９】
下枠２２は、外壁１側つまり室内側に開口された開口部２２６を備えている。この開口部２２６は、２枚のスチール板２２１，２２２間の空間で構成されており、固定部２２１Ａ，２２２Ａ間に開口されている。
一方、窓２の下側の外壁１には、図５に示すように、平面コ字状の先付けブラケット２６が固定されている。先付けブラケット２６は、スチール板を折り曲げて構成され、外壁１に固定される固定部２６１と、固定部２６１に連続する支持部２６２とを備えている。
下枠２２は、先付けブラケット２６を開口部２２６に挿入した状態で外壁１に固定される。この際、先付けブラケット２６は、支持部２６２が垂直面となる向きに固定されており、下枠２２の支持強度を高めている。
下枠２２は、図６にも示すように、固定部２２１Ａ，２２２Ａに所定間隔で形成された長孔２２７から固定ねじ２７をねじ込むことで外壁１に固定される。なお、固定ねじ２７の頭部はカバー材２７１で被覆されて外部に露出しない。
【００２０】
下枠２２の底面部２２２Ｄには、図７にも示すように、断面Ｌ字状のアングル材２８が後述するレール部材３２の固定用の皿ネジ３５で取り付けられている。このアングル材２８もスチール材で構成されている。また、アングル材２８はピース材であり、下枠本体２２０の長手方向に沿って複数個配置されている。このアングル材２８の配置箇所は、前記レール部材３２の固定ねじによる固定箇所に合わせている。
また、図示を略すが、後述するレール部材３１の固定箇所にもアングル材２８と同様のアングル材が配置され、レール部材３１の固定ねじで固定されている。なお、前記アングル材２８は、立上り部がレール部材３２の室外側に配置されているが、レール部材３１の下面側に配置されるアングル材は、立上り部がレール部材３１の室内側に配置されている。
これにより、下枠２２の上面には、２つの凹溝部２２Ａ，２２Ｂが形成されている。外側の凹溝部２２Ａは、室外側壁部としての外面部２２１Ｃ、底面部２２２Ｄ、室内側壁部としての図示略のアングル材で構成される。また、内側の凹溝部２２Ｂは、室外側壁部としてのアングル材２８、底面部２２２Ｄ、室内側壁部としての垂直壁部２２２Ｃで構成される。なお、アングル材２８はピース材であるため、各アングル材２８の間に排水用の隙間が形成されている。
【００２１】
［下レール部材の構成］
これらの凹溝部２２Ａ，２２Ｂには、障子４１，４２を案内するレール部材３１，３２が配置されている。
レール部材３１は外障子４１を案内する外レール部材であり、レール部材３２は内障子４２を案内する内レール部材である。
外レール部材３１は、凹溝部２２Ａに配置される。外レール部材３１は、図７にも示すように、断面略コ字状のアルミ形材であり、底面部２２２Ｄに対向する水平面部３１１と、水平面部３１１の室外側端縁から連続する第１の立上り部３１２と、水平面部３１１の室内側端縁に連続する第２の立上り部３１３とを備える。
水平面部３１１の上面には、突条部３１４が形成されている。突条部３１４は、後述するように外障子４１の摺動部材７０を案内するレールである。
また、各立上り部３１２，３１３の上端には、外レール部材３１の内周側に延長された突出片３１６がそれぞれ形成されている。従って、突出片３１６は互いに近づく方向に延長され、外レール部材３１の開口幅寸法を、各立上り部３１２，３１３間の寸法よりも短くしている。
【００２２】
外レール部材３１の水平面部３１１の所定箇所には、図４、７に示すように、突条部３１４の外側および内側（外障子４１の外側および内側）に、調整孔３１５がそれぞれ形成されている。本実施形態では、少なくとも、外障子４１を閉めた際の突合せ位置から左右方向（外レール部材３１の長手方向）に、それぞれ６０mm離れた位置に形成されている。すなわち、外障子４１の突合せ部に合わせて、少なくとも４つの調整孔３１５が形成されている。
調整孔３１５は、図４にも示すように、外レール部材３１の長手方向に延長された長孔であり、水平面部３１１を貫通して形成されている。
【００２３】
調整孔３１５の位置に合わせて、調整部材である調整ねじ３３が設けられている。調整ねじ３３は、頭部の表面が球面状に湾曲されて十字溝が形成された一般的なねじである。
この調整ねじ３３の頭部の直径は、前記調整孔３１５の長手方向の寸法以下であり、かつ、長手方向に直交する幅寸法よりも大きく設定されている。従って、調整ねじ３３の頭部は、十字穴が形成された頂部側が前記調整孔３１５に係合するとともに、調整孔３１５の長手方向の両端部側では、調整ねじ３３との間に隙間が形成されている。このため、調整孔３１５に水が入り込んだ場合、その水は前記隙間を通して凹溝部２２Ａの底面部２２２Ｄ上に流れる。凹溝部２２Ａの長手方向（見付け方向）の両端部には、凹溝部２２Ａ内の水を下枠２２の外部に排水する図示略の排水孔があり、前記調整孔３１５から凹溝部２２Ａに流れ込んだ水は排水孔から下枠２２の外部に排水される。
なお、水平面部３１１には、前記調整孔３１５に連通するＶ溝が形成され、水平面部３１１上に入った水をスムーズに調整孔３１５に流すことができる。
【００２４】
前記調整ねじ３３は、底面部２２２Ｄを貫通し、底面部２２２Ｄの裏面に取り付けられた裏板３４にねじ込まれている。この裏板３４は、固定用のねじ（図示略）で底面部２２２Ｄに固定されている。
調整ねじ３３の十字溝は、前記調整孔３１５に露出している。このため、調整ねじ３３は、ドライバーで回すことで、高さ位置を調整できる。この調整ねじ３３の高さ位置を調整すれば、調整ねじ３３に載置されている外レール部材３１の高さ位置も調整できる。すなわち、室内外の各調整ねじ３３の高さを調整することで、外レール部材３１の室内外方向の傾きを調整できる。また、外障子４１の突合せ部を挟んで設けられた各調整ねじ３３の高さを調整することで、外レール部材３１の長手方向の傾きを調整できる。これにより、後述するように、外障子４１を正しく立てることができ、外障子４１の突合せ部分に隙間が生じることを防止できる。
【００２５】
なお、外レール部材３１の各立上り部３１２，３１３は、水平面部３１１から下方にも延長されており、外レール部材３１を底面部２２２Ｄに載置した際に、水平面部３１１および底面部２２２Ｄ間に所定寸法の隙間が形成される。この隙間に、前記各調整ねじ３３、固定用のねじの頭部が配置されている。このため、調整ねじ３３を最も低い位置に設定した場合でも、前記水平面部３１１および底面部２２２Ｄ間に隙間が形成されることになる。
【００２６】
内レール部材３２は、凹溝部２２Ｂに配置される。内レール部材３２は、断面略コ字状のアルミ形材であり、底面部２２２Ｄに対向する水平面部３２１と、水平面部３２１の室外側端縁から連続する第１の立上り部３２２と、水平面部３２１の室内側端縁に連続する第２の立上り部３２３とを備える。
水平面部３２１の上面には、突条部３２４が形成されている。突条部３２４は、内障子４２の摺動部材７０を案内するレールである。
立上り部３２２はアングル材２８に沿って配置される。立上り部３２２の上端には、室外側に延長されて前記外レール部材３１に当接するカバー部３２５が形成されている。
また、各立上り部３２２，３２３の上端には、内レール部材３２の内周側に延長された突出片３２６がそれぞれ形成されている。従って、突出片３２６は互いに近づく方向に延長され、内レール部材３２の開口幅寸法を、各立上り部３２２，３２３間の寸法よりも短くしている。
【００２７】
これらのレール部材３１，３２は、皿ネジ３５によって下枠本体２２０に固定されている。
また、前記突出片３１６，３２６には、図４に示すように、障子４１，４２の幅寸法に合わせて切欠部３１６Ａ、３２６Ａが形成されている。この切欠部３１６Ａ、３２６Ａに後述する摺動部材７０の係止部７１４を配置することで、係止部７１４をレール部材３１，３２の溝内部に配置したり、溝内部から取り外すことができるように構成されている。
【００２８】
［上枠の構成］
上枠２１は、図３に示すように、２枚のスチール板２１１、２１２によって構成された上枠本体２１０を備えている。スチール板２１１、２１２は、厚さ寸法がt0.8〜t1.5の鋼板であり、防火設備として求められる構造規定を満たすものである。
スチール板２１１は、上枠２１の上面を構成するとともに、前記スチール板２１２との間に凹溝部２１Ａを構成している。
スチール板２１２は、上枠２１の下面を構成するとともに、凹溝状に折曲されて凹溝部２１Ｂを構成している。
これらのスチール板２１１，２１２は、凹溝部２１Ｂ部分で上下に重なっており、この部分で固定ねじを用いて互いに固定されている。
【００２９】
［上レール部材］
前記凹溝部２１Ａ，２１Ｂには、障子４１，４２の上端部を案内するレール部材３６，３７が、スチール板２１１，２１２にねじ止めされている。
レール部材３６は外障子４１の上端部を案内する外レール部材であり、レール部材３７は内障子４２の上端部を案内する内レール部材である。
【００３０】
外レール部材３６は、図８にも示すように、凹溝部２１Ａに配置される。外レール部材３６は、断面略コ字状のアルミ形材であり、スチール板２１１に固定される水平面部３６１と、水平面部３６１の室外側端縁から連続する第１の立下り部３６２と、水平面部３６１の室内側端縁に連続する第２の立下り部３６３とを備える。
立下り部３６２，３６３の内面には、モヘア３８が外レール部材３６の長手方向に沿って連続して取り付けられている。
【００３１】
内レール部材３７は、凹溝部２１Ｂに配置される。内レール部材３７も外レール部材３６と同様に、断面略コ字状のアルミ形材であり、スチール板２１２に固定される水平面部３７１と、水平面部３７１の室外側端縁から連続する第１の立下り部３７２と、水平面部３７１の室内側端縁に連続する第２の立下り部３７３とを備える。
立下り部３７２，３７３の内面には、モヘア３８が内レール部材３７の長手方向に沿って連続して取り付けられている。
【００３２】
上枠２１の長手方向の端面には、図５に示すように、下枠２２と同様の端部キャップ２５が取り付けられ、スチール板２１１，２１２はこの端部キャップ２５によっても連結されている。
また、上枠２１は、図３に示すように、スチール板２１１に所定間隔で形成された長孔２１７から固定ねじ２７をねじ込むことで外壁１に固定される。固定ねじ２７の頭部はカバー材２７１で被覆されている。
【００３３】
［縦枠の構成］
縦枠２３は、図４、５にも示すように、断面略コ字状のスチール材で構成されている。縦枠２３は、厚さ寸法がt0.8〜t1.5の鋼板であり、防火設備として求められる構造規定を満たすものである。
この縦枠２３は、外壁１に固定される固定部２３Ａと、固定部２３Ａから直交方向に折曲されて見込み方向に延びる縦枠本体部２３Ｂと、縦枠本体部２３Ｂの室外側端部から折曲された係合部２３Ｃとを備える。
固定部２３Ａの見付け寸法は、係合部２３Ｃよりも長くされており、固定部２３Ａから固定ねじ２７をねじ込むことで、縦枠２３は外壁１に固定されている。
【００３４】
［障子の構成］
次に、障子４０の構成について説明する。障子４０は、２枚の外障子４１および２枚の内障子４２からなる四枚建ての障子である。
各障子４１，４２は、図４、８に示すように、面材５０と、面材５０の左右の端部を保持する縦框５１、５２、５３、５４、５５を備えている。
面材５０は、障子４１，４２として必要な剛性と、暴風時の飛来物などによる破損を防止する強度と、耐火性とを有する面材で構成される。本実施形態の面材５０は、耐火強化ガラスが用いられているが、スチール板や耐火ボードなどの面材を用いてもよい。
面材５０として用いられる耐火強化ガラスは、光をやわらげて採り入れるとともに、プライバシーを守る目隠し効果を発揮するため、ミスト調ガラスが用いられている。
また、面材５０である耐火強化ガラスの外周端面には、ガラス輸送時の破損などを防止するため、図８，９に示すように、保護シール５０Ａが貼られている。
【００３５】
内障子４２は、図４，８に示すように、外障子４１、内障子４２を閉めた際に、建具枠２０の縦枠２３に係合する縦框５１と、外障子４１に係合する縦框５２とを備えている。
外障子４１は、図４，８に示すように、外障子４１、内障子４２を閉めた際に、内障子４２に係合する縦框５３と、外障子４１の突合せ部に設けられる突合せ框である縦框５４，５５とを備えている。
【００３６】
図９には、外障子４１および内障子４２の召合せ部の縦框５２、５３を示す。
内障子４２の縦框５２は、面材５０を室内外から挟持する室外側保持板５２１、室内側保持板５２２で構成される。室外側保持板５２１は、断面略Ｌ字状に折曲された厚さ寸法がt0.5の化粧鋼板で構成されている。また、室内側保持板５２２は、断面略コ字状に折曲された厚さ寸法がt0.5の化粧鋼板で構成されている。
室外側保持板５２１および室内側保持板５２２は、縦框５２の見込み方向に延長された見込み面部５２１Ａ，５２２Ａと、各見込み面部５２１Ａ，５２２Ａから縦框５２の見付け方向に延長された見付け面部５２１Ｂ、５２２Ｂとを備えている。
【００３７】
これらの室外側保持板５２１および室内側保持板５２２は、見込み面部５２１Ａ，５２２Ａが重なって配置された縦框５２の見込み面でリベット止めされて一体化されている。
また、見付け面部５２１Ｂ、５２２Ｂの端部は、ヘミング曲げ加工が施されている。そして、この見付け面部５２１Ｂ、５２２Ｂ間に面材５０が保持されている。
なお、面材５０と見付け面部５２１Ｂとの間には、ヘミング曲げによって形成される室外側保持板５２１の板厚分の空間が形成される。この空間に接着剤５９が塗布され、面材５０が接着されている。
【００３８】
外障子４１の縦框５３も、図９に示すように、面材５０を室内外から挟持する室外側保持板５３１、室内側保持板５３２で構成される。室外側保持板５３１は、断面略コ字状に折曲された厚さ寸法がt0.5の化粧鋼板で構成されている。また、室内側保持板５３２は、断面略Ｌ字状に折曲された厚さ寸法がt0.5の化粧鋼板で構成されている。
室外側保持板５３１および室内側保持板５３２は、縦框５３の見込み方向に延長された見込み面部５３１Ａ，５３２Ａと、各見込み面部５３１Ａ，５３２Ａから縦框５３の見付け方向に延長された見付け面部５３１Ｂ、５３２Ｂとを備えている。
【００３９】
これらの室外側保持板５３１および室内側保持板５３２も、見込み面部５３１Ａ，５３２Ａが重なって配置された縦框５３の見込み面でリベット止めされて一体化されている。
また、見付け面部５３１Ｂ、５３２Ｂの端部は、ヘミング曲げ加工が施され、この見付け面部５３１Ｂ、５３２Ｂ間に面材５０が保持されている。
さらに、面材５０と見付け面部５３１Ｂとの間には、ヘミング曲げによって形成される室外側保持板５３１の板厚分の空間が形成されて接着剤５９が塗布され、面材５０が接着されている。
【００４０】
さらに、室内側保持板５２２および室外側保持板５３１には、他方の縦框に向かって突出する煙返し部５２２Ｃ、５３１Ｃが形成されている。
これらの縦框５２、５３は、室外側保持板５２１、５３１の見付け面部５２１Ｂ、５３１Ｂに接着剤５９を塗布して面材５０を接着した後、室外側保持板５２１、５３１、室内側保持板５２２、５３２を、縦框５２，５３の見込み面でリベット止めすることで組み立てられる。
【００４１】
図１０には、外障子４１の突合せ部の縦框５４、５５を示す。
外障子４１の縦框５４は、凹部を形成する嵌合部材５４５を備え、この嵌合部材５４５に他方の縦框５５を嵌合するように構成している。
すなわち、突合せ部における一方の縦框５４は、図１０に示すように、面材５０を室内外から挟持する室外側保持板５４１、室内側保持板５４２と、各保持板５４１、５４２間の開口を塞ぐ閉塞板５４３とで構成される。
【００４２】
室外側保持板５４１は、断面略コ字状に折曲された厚さ寸法がt0.5の化粧鋼板で構成されている。室内側保持板５４２は、断面略Ｌ字状に折曲された厚さ寸法がt0.5の化粧鋼板で構成されている。また、閉塞板５４３は、断面略コ字状に折曲された厚さ寸法がt0.5の化粧鋼板で構成されている。
室外側保持板５４１、室内側保持板５４２は、縦框５４の見込み方向に延長された見込み面部５４１Ａ、５４２Ａと、各見込み面部５４１Ａ，５４２Ａから縦框５４の見付け方向に延長された見付け面部５４１Ｂ、５４２Ｂとを備えている。見付け面部５４１Ｂ、５４２Ｂのヘミング加工や接着剤５９の塗布は、縦框５２、５３と同じであるため説明を略す。閉塞板５４３は、見込み面部５４３Ａを備えている。
【００４３】
嵌合部材５４５は、断面コ字状のスチール製の補強材５４６と、補強材５４６の外表面を被覆する化粧鋼板５４７とで構成されている。
縦框５４は、室外側保持板５４１の見付け面部５４１Ｂに接着剤５９を塗布して面材５０を接着し、室外側保持板５４１、室内側保持板５４２、閉塞板５４３、嵌合部材５４５を、縦框５４の見込み面でリベット止めすることで組み立てられる。
【００４４】
一方、突合せ部の他方の縦框５５は、嵌合部材５４５が設けられていない以外は、縦框５４と同じ構成である。すなわち、縦框５５は、室外側保持板５５１、室内側保持板５５２、閉塞板５５３を備え、見付け面部５５１Ｂ、５５２Ｂ間で面材５０を挟持し、見込み面部５５１Ａ，５５２Ａ、５５３Ａで一体化されている点で縦框５４と同じである。
【００４５】
なお、内障子４２の縦框５１は、縦框５３と同様の構成であるため、説明を省略する。
【００４６】
外障子４１を閉めて突合せた際に、凹部となる嵌合部材５４５の開口内に、凸部となる縦框５５が挿入して配置される。このため、外障子４１の突合せ部は、外障子４１の外観側から内観側につながる空間が、ジグザク状の迷路形状となる。このため、火災等で外障子４１に熱が加わって反っても、縦框５５が縦框５４から外れることがなく、各外障子４１間に貫通口が発生することがない。このため、防火性能を確保できる。
なお、外障子４１と内障子４２の召合せ部も前記縦框５２，５３の煙返し部５２２Ｃ、５３１Ｃが設けられ、内障子４２と縦枠２３の召合せ部も前記縦框５１や係合部２３Ｃが煙返しとなり、障子４１，４２の外観側から内観側につながる空間がジグザク状の迷路形状となる。このため、これらの召合せ部にも貫通口が発生せず、防火性能を確保できる。
【００４７】
なお、２枚の外障子４１間の突合せ部と、外障子４１および内障子４２の召合せ部と、内障子４２の縦枠２３に係合する係合部には、それぞれ熱膨張耐火材６０が貼られている。この熱膨張耐火材６０は、熱が加わると膨張する耐火材である。火災時には、熱膨張耐火材６０が膨張し、各外障子４１、内障子４２間の隙間などを塞ぐことで、防火戸１０は必要な防火性能を確保できる。なお、熱膨張耐火材６０の一部は、他の部材の説明上、図示を略している。
【００４８】
［摺動部材］
各障子４１，４２の縦框５１〜５５には、前記レール部材３１，３２の突条部３１４，３２４上をスライド移動する摺動部材７０が取り付けられている。従って、本実施形態では、摺動部材７０によって、下枠２２の溝内（凹溝部２２Ａ，２２Ｂ内）を移動する移動部材が構成されている。
摺動部材７０は、図７，８に示すように、各縦框５１〜５５の見込み面の下端に取り付けられたステンレスなどの金属製の外れ止め部７１と、この外れ止め部７１の下面に固定された摺動部７２とで構成されている。
【００４９】
外れ止め部７１は、金属板を折り曲げて形成されたものである。この外れ止め部７１は、固定部７１１と、面材支持部７１２と、框材保持部７１３と、係止部７１４とを備える。
固定部７１１は、縦框５１〜５５の見込み面にビス止めされている。面材支持部７１２は、固定部７１１の下端から水平方向に延長されている。この面材支持部７１２上に面材５０の下端面が載置されている。
【００５０】
框材保持部７１３は、面材支持部７１２の延長方向の中間位置から立ち上がって設けられた一対の突出片で構成されている。この框材保持部７１３は、面材５０を保持する各見付け面部を室内外から押さえることで、見付け面部５２１Ｂ、５２２Ｂ、５３１Ｂ、５３２Ｂ、５４１Ｂ、５４２Ｂ、５５１Ｂ、５５２Ｂが広がることを防止している。また、框材保持部７１３が見付け面部に係合するため、固定部７１１のみでビス止めされた摺動部材７０が回転することも防止している。
【００５１】
係止部７１４は、面材支持部７１２の先端部から見込方向に突出して形成されている。この係止部７１４の幅寸法（見込み寸法）は、レール部材３１，３２の突出片３１６、３２６間の開口幅寸法よりも大きくされている。このため、障子４１，４２を持ち上げても、前記係止部７１４は突出片３１６，３２６で係止されるため、障子４１，４２が下レール部材３１，３２から外れることを防止できる。
なお、前述したように、突出片３１６，３２６には切欠部３１６Ａ、３２６Ａが形成されている。このため、障子４１，４２を下枠２２から着脱する場合には、前記係止部７１４を切欠部３１６Ａ、３２６Ａの位置に合わせて障子４１，４２を上下に移動すればよい。
【００５２】
係止部７１４の下面には、摺動部７２がビス止めされている。摺動部７２は、フッ素樹脂シートのように摩擦係数の小さいシートで構成されている。この摺動部７２は、幅寸法が前記係止部７１４よりも大きくされ、係止部７１４の端面よりも突出している。このため、障子４１，４２の下端部が室内側や室外側にずれた場合も、摺動部７２が立上り部３１２、３１３、３２２、３２３に当接し、金属製の係止部７１４が当接して下レール部材３１，３２が傷つくことを防止している。
【００５３】
この摺動部材７０は、障子４１，４２の縦框５１〜５５の下部に取り付けられ、突条部３１４，３２４上をスライド移動する。これにより、障子４１，４２は、一般的な戸車を用いることなく、移動することができる。
この際、障子４１，４２の下端部は下框が設けられてないので、面材５０の下端部が露出する。この面材５０は、摺動部材７０の面材支持部７１２および摺動部７２の厚さ寸法分だけ、突条部３１４，３２４の上方に離れており、障子４１，４２のスライド移動を阻害することはない。
また、図８に示すように、障子４１の上端部も上框が設けられていないので、面材５０の上端部が露出する。この面材５０の上端部は、縦框５１〜５５の上端部とともに、前記レール部材３６、３７のモヘア３８で挟持され、障子４１，４２の上端部はモヘア３８で案内されてスライド移動する。
【００５４】
図９に示すように、内障子４２の縦框５２の高さ方向の略中央部には、略Ｚ字状の係合部材６６がビス止めされている。
また、図示しないが、外障子４１の突合せ部の各縦框５４，５５には、錠および錠受を取り付けて施錠できるようにしてもよい。
【００５５】
［防火戸の開閉操作］
外障子４１を開いた場合には、最初は外障子４１のみが移動し、外障子４１が係合部材６６に当接すると、外障子４１の移動に連動して内障子４２も移動する。そして、係合部材６６が縦枠２３に当接すると、外障子４１および内障子４２は停止する。この停止位置が障子４１，４２の全開位置であり、この際、外障子４１および内障子４２は内外方向に重なって配置される。また、この全開位置は、窓２のガラス部分の殆どが露出する位置とされ、室内からの眺めを遮ることがないようにされている。
一方、外障子４１を全開位置から閉めると、最初は外障子４１のみが移動し、外障子４１の召合せ部の縦框５３が、内障子４２の召合せ部の縦框５２に係合すると、外障子４１の移動に連動して内障子４２も移動する。そして、内障子４２の戸先側の縦框５１が縦枠２３に当接すると、外障子４１および内障子４２は停止する。この停止位置が障子４１，４２の全閉位置である。
【００５６】
このような本実施形態によれば、以下のような効果を得ることができる。
障子４１，４２は、ガラス製の面材５０と、面材５０の左右両端に取り付けられた縦框５１〜５５と、縦框５１〜５５の下端部に取り付けられた摺動部材７０とで構成され、上框や下框は設けていない。このため、上框や下框で隠れる部分が無い分、面材５０の見付け面の面積を大きくでき、採光性も向上できる。
また、上下框が設けられている場合は、上下框が上枠２１、下枠２２に沿って露出するが、本実施形態では、図１、２に示すように、上下框がなく、障子４１，４２の上下両端部は上枠２１、下枠２２の溝内に呑み込まれているので、上下枠部分の意匠がシンプルなものとなり、防火戸１０の意匠性も向上できる。特に、本実施形態では、障子４１，４２は、見付け面の幅寸法に比べて高さ寸法が大きいスリムな障子であるため、上下方向に長い面材５０および縦框５１〜５５のみが露出することで意匠性を向上できる。
【００５７】
また、前記縦框５１〜５５の下端部に摺動部材７０を取り付けており、この摺動部材７０をレール部材３６、３７上で摺動させているので、戸車を設ける場合に比べて構造を簡単にできてコストを低減できる。
さらに、縦框５１〜５５の下端に戸車を設ける場合に比べて、縦框５１〜５５の見付け寸法および見込み寸法を小さくできて、スリムな意匠デザインにできる。この点からも、採光性や意匠性を向上できる。
【００５８】
さらに、摺動部材７０に係止部７１４を形成し、下枠２２のレール部材３６、３７に突出片３１６，３２６を形成したので、障子４１，４２の開閉時にその転びで一方の縦框側が上方に移動したり、暴風などで障子４１，４２が浮き上がった場合に、前記係止部７１４が前記突出片３１６，３２６に当接するので、障子４１，４２が下枠２２から外れて脱落することを防止できる。
さらに、係止部７１４を摺動部材７０に形成しているので、縦框５１〜５５に形成する場合に比べて、縦框５１〜５５の加工、組立が容易になり、生産効率も向上できる。
【００５９】
また、縦框５１〜５５は、金属製の板材を折り曲げて形成した室外側保持板５２１、５３１、５４１、５５１および室内側保持板５２２、５３２、５４２、５５２で構成されている。このため、１枚の板材で縦框を構成する場合に比べて、曲げ加工が簡単になり、また、面材５０を固定する接着剤５９も均一に塗布することができ、面材５０を確実に接着できる。
さらに、室外側保持板５２１、５３１、５４１、５５１および室内側保持板５２２、５３２、５４２、５５２は、各見込み面部をリベット等で連結して一体化しているので、縦框５１〜５５として必要な剛性を確保でき、別途、骨材を用いる必要がないため、部材点数を少なくできてコストを抑えることができる。
【００６０】
また、縦框５１〜５５において、面材５０を保持する部分の端部はヘミング曲げ加工で構成している。このため、面材５０と縦框５１〜５５の見切り部分の意匠性を向上できる。また、ガラス製の面材５０との接点をなめらかにでき、縦框５１〜５５のエッジがガラスに当たって割れてしまうことを防止できる。
さらに、ヘミング曲げ加工で形成される隙間を、接着剤５９を塗布する目地に利用でき、接着剤５９がヘミング曲げ加工部分を乗り越えてはみ出すことを防止できる。
また、接着剤５９は、面材５０の室外側のみに設けているので、外部からの炎で接着剤５９が発火した場合に、接着剤５９の炎が室内側に吹き込むことを防止できる。
【００６１】
外レール部材３１は調整ねじ３３の上面に載置されているので、調整ねじ３３の高さ位置を調整することで適切な高さに調整できる。この際、調整ねじ３３を調整孔３１５の位置に合わせて配置しているので、調整孔３１５からドライバーを用いて操作することで調整ねじ３３の高さ位置を調整できる。このため、外障子４１を取り外すことなく外レール部材３１の高さ位置の調整作業を行うことができる。従って、障子の建て付けが悪くなっても、障子を外すことなく容易に調整でき、メンテナンス性を向上できる。
また、調整ねじ３３を突条部３１４の内側および外側にそれぞれ設けているので、外レール部材３１の傾きも調整できる。このため、外レール部材３１上に外障子４１を正しく立てることができる。
さらに、調整ねじ３３が、外障子４１の突合せ部に設けられているため、互いに突き合わされる外障子４１同士が見付け方向に傾いたり、見込み方向に傾くことを直すことができる。このため、外障子４１の突合せ部に隙間が生じることを防止でき、水密性能や防火性能が低下することを防止できる。
【００６２】
調整孔３１５は調整ねじ３３の高さ位置調整用だけでなく、排水孔を兼ねているので、外レール部材３１上に入り込んだ水を調整孔３１５から凹溝部２２Ａに排出でき、凹溝部２２Ａから下枠２２の外部に排水できる。このため、ねじ穴に水が溜まって排水できなくなる問題を防止できる。
また、外レール部材３１の立上り部３１２，３１３は、水平面部３１１よりも下方に突出しているので、調整ねじ３３を最も低い位置に調整した場合でも、水平面部３１１および底面部２２２Ｄ間に隙間を確保でき、排水性が低下することを防止できる。
その上、調整ねじ３３上にレール部材３１，３２が載置されるため、調整ねじ３３はレール部材３１，３２の上面から突出しない。また、レール部材３１，３２を下枠本体２２０に固定する皿ネジ３５も上面から突出しない。このため、調整ねじ３３や皿ネジ３５が障子４１の移動を阻害することを防止でき、障子４１をスムーズに移動できる。
【００６３】
調整部材を調整ねじ３３で構成し、調整孔３１５を長孔で構成しているので、ねじ頭部と調整孔３１５間に排水用の隙間を確実に形成できる。本実施形態では、調整ねじ３３の頭部が球面状とされているので、調整孔３１５の長手方向の寸法を幅寸法よりも大きくすれば、調整孔３１５の長手方向の両端部側に調整ねじ３３との隙間を形成できる。特に、調整孔３１５の長さ寸法を調整ねじ３３の頭部の直径以上とすれば、ねじ頭部と調整孔３１５間に排水用の隙間を確実に形成できる。このため、調整孔３１５を排水孔に兼用させるための構成もシンプルにでき、コストも安価にできる。
また、調整ねじ３３をドライバーで回すだけで高さ調整が行えるので、調整部材の構成も簡易にでき、コストをより低減できる。その上、調整ねじ３３はドライバーによる回転数によってその高さを微調整できるため、外レール部材３１の高さ位置も微妙に調整でき、調整作業性も向上できる。
【００６４】
下枠本体２２０をスチール材で構成しているので、火災によりアルミ製のレール部材３１，３２が損傷しても、レール部材３１，３２よりも溶融温度が高い下枠本体２２０で障子４１，４２を支持できる。このため、火災時に障子４１，４２が脱落してしまうことを防止できる。
【００６５】
また、レール部材３１，３２やレール部材３６、３７をアルミ材で構成しているので、突条部３１４，３２４などを有する断面形状が複雑なレール部材３１，３２，３６，３７を、スチール材で構成する場合に比べて容易に製造できる。
さらに、レール部材３１，３２，３６，３７を断面コ字状に形成しているので、長尺なレール部材３１，３２，３６，３７の剛性を確保できて、レールの歪みや撓みを無くすことができる。さらに、レール部材３１，３２，３６，３７を凹溝部２１Ａ，２１Ｂ，２２Ａ、２２Ｂの室内側壁部や室外側壁部に当接させることができるので、凹溝部２２Ａ、２２Ｂ内に対するレール部材３１，３２，３６，３７の位置決めを容易に行うことができる。
【００６６】
建具枠２０の上枠２１、下枠２２、縦枠２３と、障子４１，４２の係合部に熱膨張耐火材６０を設けたので、防火ラインを確実に構成でき、防火戸１０は十分な防火性能を確保できる。特に、外障子４１の突合せ部を、縦框５４、５５によって凹凸嵌合構造としたので、火災時に外障子４１が反っても突合せ部に隙間が生じることがなく、防火性を確保できる。
【００６７】
外壁１に先付けブラケット２６を取り付けているので、下枠２２の開口部２２６を差し込んで支持させることができる。このため、建具枠２０を外壁１に仮置きすることができ、建具枠２０の取付作業性を向上できる。
また、先付けブラケット２６は下枠２２内に納まるため、外部に露出せず、意匠性も向上できる。
さらに、先付けブラケット２６が下枠２２内に納まっているので、下枠２２の強度を向上できる。特に、障子４１，４２の重量の一部を先付けブラケット２６でも支持できるため、下枠２２が障子４１，４２の荷重で垂れることもなく、障子４１，４２の支持強度も向上できる。
【００６８】
なお、本発明は、前記実施形態に限定されるものではなく、本発明の目的が達成できる他の構成等を含み、以下に示すような変形等も本発明に含まれる。
例えば、前記実施形態においては、防火戸１０として、四枚建ての障子４１，４２で構成していたが、図１１に示すように、２枚の外障子４１のみで構成した防火戸１０Ａとしてもよい。すなわち、窓２の開口寸法が小さい場合には、２枚の外障子４１のみを有する防火戸１０Ａを設ければよい。この場合、上枠２１、下枠２２には、１つの凹溝部２１Ａ，２２Ａを設ければよい。このため、スチール板２１２、スチール板２２２の形状を、凹溝部２１Ａ，２２Ａが１つ形成されるように設計すればよい。また、窓２の開口寸法が大きい場合には、５枚以上の障子を設けて構成してもよい。
【００６９】
前記実施形態では、外障子４１の突合せ部のみに調整孔３１５、調整ねじ３３からなる高さ調整機構を設けていたが、外レール部材３１に所定間隔で複数の調整孔３１５を形成し、下枠本体２２０側にそれらの調整孔３１５に対応して複数の調整ねじ３３を設けてもよい。この場合、外レール部材３１の全体の高さ位置を自由に調整できる。
また、前記実施形態では、外障子４１のみに高さ調整機構を設けていたが、内障子４２にも設けてもよい。特に、内障子４２と外障子４１や縦枠２３との召合せ部に高さ調整機構を設ければ、召合せ部における各障子間や縦枠との間隔を一定にでき、内障子４２を正しい向きに設置できる。ただし、召合せ部は、見込み方向に障子４１，４２や縦枠２３が重なるため、召合せ部において障子４１，４２が多少傾いていても、耐火性に影響するような隙間が生じるおそれがない。従って、前記実施形態のように、少なくとも外障子４１の突合せ部に高さ調整機構を設ければよい。
【００７０】
また、上枠本体２１０や下枠本体２２０とレール部材３１，３２，３６，３７は、スチール材とアルミ材との異なる材質の部材で構成されていたが、ともにスチール材で構成してもよいし、アルミ材で構成してもよい。例えば、耐火性を求められない建具の場合には、上枠本体２１０、下枠本体２２０およびレール部材３１，３２，３６，３７をアルミ製としてもよい。
【００７１】
レール部材３１，３２の高さを調整する調整部材としては、調整孔３１５からの操作で高さ調整できるものであれば、前記調整ねじ３３に限定されない。また、調整ねじ３３としても前記実施形態で用いたバインドねじに限らず、皿ねじ等でもよく、レール部材３１，３２を載置できてその高さを調整できるものであればよい。
また、前記実施形態では、先付けブラケット２６は、下枠２２を支持する位置に設けていたが、上枠２１の開口部に挿入されて上枠２１を支持する位置に設けてもよい。この場合も、建具枠２０を先付けブラケット２６で仮固定できて作業性を向上でき、かつ、防火戸１０の支持強度も向上できる。
さらに、上枠２１および下枠２２の両方を先付けブラケット２６で支持してもよい。この場合は、防火戸１０の支持強度をより一層向上できる。
【００７２】
前記縦框５１〜５５の下端部に取り付けられる移動部材としては、前記突条部（レール）３１４，３２４上を移動する戸車でもよい。戸車を用いれば、移動部材として摺動部材７０を用いた場合に比べて、障子４１，４２のスライド移動をよりスムーズに行うことができる。
また、本実施形態のレール部材３１，３２の突条部３１４，３２４は、戸車のレールとしても兼用できるので、戸車用のレール部材を別途用意する必要が無く、コストも低減できる。
【００７３】
移動部材として摺動部材７０を用いる場合に、レール部材３１，３２の突条部３１４，３２４は戸車のレールを兼用できるものに限らない。すなわち、前記実施形態の突条部３１４，３２４は、戸車のレールも兼用できるように幅寸法を小さくしており、突条部３１４，３２４上面の摺動部材７０に接触する摺動面の幅寸法も小さいものであった。これに対し、突条部の幅寸法を大きくして摺動面の幅寸法を前記実施形態に比べて大きくしてもよい。この場合、摺動部材７０に接触する面積が広くなり、摺動部材７０をより安定して案内できる。また、突条部としては、水平面部３１１，３２１から円弧状に突出した断面形状を有するものでもよい。
さらに、レール部材３１，３２には、水平面部３１１，３２１から突出する突条部を形成せずに、水平面部３１１，３２１の表面を平らに形成して摺動面とし、摺動部材７０の摺動部７２に下方に突出する突出部を形成し、前記摺動面に接触させてもよい。
【００７４】
本発明の建具としては、防火戸１０に限らない。例えば、防火性能を有さない雨戸やシャッターとして用いてもよい。さらに、建物の窓２の外側に装着されるものに限らず、建物の開口部に設けられる窓や戸として利用してもよい。すなわち、引き違い窓や引戸に本発明を適用してもよい。
【００７５】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【符号の説明】
【００７６】
２…窓、１０、１０Ａ…防火戸、２０…建具枠、２１…上枠、２２…下枠、２２Ａ、２２Ｂ…凹溝部、２３…縦枠、３１…外レール部材、３２…内レール部材、３３…調整ねじ、３６…外レール部材、３７…内レール部材、３８…モヘア、４０…障子、４１…外障子、４２…内障子、５０…面材、５１、５２、５３、５４、５５…縦框、６０…熱膨張耐火材、７０…摺動部材、７１…外れ止め部、７２…摺動部、３１４，３２４…突条部、３１６，３２６…突出片、５２１、５３１、５４１、５５１…室外側保持板、５２２、５３２、５４２、５５２…室内側保持板、７１３…框材保持部、７１４…係止部。
【図１】
0005632808.tif 000002
【図２】
0005632808.tif 000003
【図３】
0005632808.tif 000004
【図４】
0005632808.tif 000005
【図５】
0005632808.tif 000006
【図６】
0005632808.tif 000007
【図７】
0005632808.tif 000008
【図８】
0005632808.tif 000009
【図９】
0005632808.tif 000010
【図１０】
0005632808.tif 000011
【図１１】
0005632808.tif 000012